(57)【要約】【課題】組立て、分解が容易で収納に便利であり、面白みを感じさせて容易に飽きのこない、慣性式回動部を具える健康器を提供する。【解決手段】半球状で一対の半球体と、及び該半球体を収納する収納部が形成きれるとともに、外周に沿って鍔部が形成され、該鍔部に重心ボールを嵌着する一対のハウジングとによって本体を構成して、該本体に軸桿を挿通させ、該一対のハウジングによって形成される部分を回動カバーとし、該回動カバーを半球体に対して摺動自在に設け、別途十字状の管体の一端を挿入部として該軸桿を嵌着し、該挿入部に相対する他端には当接板を設け、該挿入部から該当接板に至る軸線に直交する管体の両端にハンドル桿を着脱自在に嵌着して支持フレームを構成する。【選択図】図１
0003097197.tif 000002
【実用新案登録請求の範囲】
【請求項１】
半球状に形成された一対の半球体と、及び中央の位置に該半球体の形状に沿った曲面を有し、かつ該半球体を収納する収納部が形成されるとともに、外周に沿って鍔部が形成され、該鍔部に重心ボールを嵌着する一対のハウジングと、によってなる本体と、
十字状の管体の一端を上記本体が嵌着する挿入部とし、該挿入部に相対する他端には、使用者の身体に当接する当接板を設けるとともに、該挿入部から該当接板に至る軸線に直交する管体の両端をハンドル桿が嵌挿するハンドル挿入部とする支持フレームとによってなることを特徴とする慣性式回動部を具える健康器。
【請求項２】
前記半球体は、中央の位置を貫通する軸桿を設け、該軸桿の一端が該ハウジングを挿通して外部に延伸することを特徴とする請求項１に記載の慣性式回動部を具える健康器。
【請求項３】
前記ハンドル挿入部には、外周に沿って等間隔で複数の位置決め孔を穿設し、該位置決め孔に対応する位置決め突起が一端の外周面に形成されるハンドル桿を着脱自在に嵌着することを特徴とする請求項１または２に記載の慣性式回動部を具える健康器。
【請求項４】
前記ハウジングの収納部は、内壁に該半球体の外面に接する複数のリブを形成することを特徴とする請求項１、２または３に記載の慣性式回動部を具える健康器。
【請求項５】
前記ハウジングの該支持フレーム側の一面には該軸桿が挿通する貫通孔を穿設することを特徴とする請求項１ないし４のいずれかの項に記載の慣性式回動部を具える健康器。
【請求項６】
前記一対のハウジングに形成される鍔部には、対応する位置にそれぞれ該重心ボールを嵌着する球体支持孔が穿設されることを特徴とする請求項１ないし５のいずれかの項に記載の慣性式回動部を具える健康器。
【考案の詳細な説明】
【０００１】
【考案の属する技術分野】
この考案は健康器に関し、特に腕、腰を中心として身体の筋肉をトレーニングする慣性式回動部を具える健康器に関する。
【０００２】
【従来の技術】
現代杜会においては、杜会形態の変化にともない人々の生活も緊迫感を持つようになり、時間に忙殺される様を呈している。かかる杜会現象は、逆に人々に健康の重要さを認識させるものではあるが、健康のため運動を行う時間と場所は限られたものでしかない。このため、室内で手軽に行える運動、及びその健康器が注目を集め、広く普及している。かかる健康器は、市場に多種多様のものが流通していて、特定の施設、もしくは一般の家庭で使用されているが、いずれも限られた時間と空間を利用して筋肉トレーニングなどの運動を行い、運動の効果を達成するとともに、心理的な圧力を取り除くメンタルな効果も得ることができる。
【０００３】
しかしながら、現在市場に見られる健康器は、構造が複雑で体積が大きため、その設置にはかなりの空間を占めるのみならず、健康器の移動、もしくは収納に不便である。よって、随時取り出して手軽に使用することは難しい。しかも、これら健康器は、いずれも操作方法が画一的であって、同様の動作を繰り返すのみである。このため、ある程度の期間使用すると、操作の単純さに飽きてしまい、継続して運動しようとする意欲に影響を与える。したがって、購買後往々にして何度も使用しない内に放棄してしまい、結果として浪費となる場合が見られる。
【０００４】
【考案が解決しようとする課題】
この考案は、体積が縮小されていて、組立て分解が容易で収納に便利な慣性式回動部を具える健康器を提供することを課題とする。
【０００５】
また、この考案は使用者に面白みを感じさせて、容易に飽きのこない、慣性式回動部を具える健康器を提供することを課題とする。
【０００６】
【課題を解決するための手段】
そこで、本考案者は従来の技術に見られる欠点に鑑みて鋭意研究を重ねた結果、半球状に形成された一対の半球体と、及び中央の位置に該半球体の形状に沿った曲面を有し、かつ該半球体を収納する収納部が形成されるとともに、外周に沿って鍔部が形成され、該鍔部に重心ボールを嵌着する一対のハウジングとによって本体を構成して、該本体に軸桿を挿通させるとともに該一対のハウジングによって形成される部分を回動カバーとし、該回動カバーを半球体に対して摺動自在に設け、別途十字状の管体の一端を挿入部として該軸桿を嵌着し、該挿入部に相対する他端には、使用者の身体に当接する当接板を設けるとともに、該挿入部から該当接板に至る軸線に直交する管体の両端をハンドル桿が嵌挿するハンドル挿入部としてハンドル桿を着脱自在に嵌着する支持フレームを構成してなる健康器の構造によって課題を解決できる点に着眼し、かかる知見に基づいて本考案を完成させた。
【０００７】
以下、この考案について具体的に説明する。
請求項１に記載する慣性式回動部を具える健康器は、半球状に形成された一対の半球体と、及び中央の位置に該半球体の形状に沿った曲面を有し、かつ該半球体を収納する収納部が形成されるとともに、外周に沿って鍔部が形成され、該鍔部に重心ボールを嵌着する一対のハウジングと、によってなる本体と、十字状の管体の一端を該本体が嵌着する挿入部とし、該挿入部に相対する他端には、使用者の身体に当接する当接板を設けるとともに、該挿入部から該当接板に至る軸線に直交する管体の両端をハンドル桿が嵌挿するハンドル挿入部とする支持フレームとによってなる。
【０００８】
請求項２に記載する慣性式回動部を具える健康器は、請求項１における半球体が、中央の位置を貫通する軸桿を設け、該軸桿の一端が該ハウジングを挿通して外部に延伸する。
【０００９】
請求項３に記載する慣性式回動部を具える健康器は、請求項１または２におけるハンドル挿入部には、外周に沿って等間隔で複数の位置決め孔を穿設し、該位置決め孔に対応する位置決め突起が一端の外周面に形成されるハンドル桿を着脱自在に嵌着する。
【００１０】
請求項４に記載する慣性式回動部を具える健康器は、請求項１、２または３におけるハウジングの収納部は、内壁に該半球対の外面に接する複数のリブを形成する。
【００１１】
請求項５に記載する慣性式回動部を具える健康器は、請求項１ないし４のいずれかの項におけるハウジングの該支持フレーム側の一面に、該軸桿が挿通する貫通孔を穿設する。
【００１２】
請求項６に記載する慣性式回動部を具える健康器は、請求項１ないし５のいずれかの項における一対のハウジングに形成される鍔部に、対応する位置にそれぞれ該重心ボールを猷着する球体支持孔が穿設される。
【００１３】
【考案の実施の形態】
この考案は、腕、腰を中心として身体の筋肉をトレーニングする健康器を提供するものであって、半球状に形成された一対の半球体と、及び該半球体を収納する収納部が形成されるとともに、外周に沿って鍔部が形成され、該鍔部に重心ボールを嵌着する一対のハウジングとによってなる本体と、該本体に挿通させる軸桿と、十字状の管体によってなり一端に該軸桿が嵌着し、相対する他端に使用者の身体に当接する当接板を設けるとともに、該挿入部から該当接板に至る軸線に直交する管体の両端にハンドル桿を着脱自在に嵌挿する支持フレームとによって構成される。かかる健康器の構造と特徴を詳述するために具体的な実施例を挙げ、図示を参照にして以下に説明する。
【００１４】
【実施例】
図１は、この考案による慣性式健康器の分解斜視図であって、図２は一部断面図である。図面によれば、この考案の慣性式健康器は、本体（１）と支持フレーム（２０）とによって構成される。本体（１）は、軸方向の路中央の位置に軸線に直交する方向に位置決めピン（１２０）を挿通させた軸桿（１２）と、半球状に形成され、該軸桿（１２）の両端縁部にそれぞれ嵌着する一対の半球体（１０）と、外周に沿って鍔部（１６）が形成され、かつ該半球体（１０）の外面を覆う一対のハウジングによってなる回動カバー（１３）と、及び該ハウジング（１４）の鍔部（１６）に設けられる重心ボール（１７）とによってなる。
【００１５】
該位置決めピン（１２０）は、両端が該軸桿（１２）の外縁部からそれぞれ突起するように設けられる。
【００１６】
該半球体（１０）は、内壁に軸桿（１２）が嵌着する嵌着部（１１）をそれぞれ形成するとともに、支持フレーム（２０）側に位置する半球体（１０）は該嵌着部（１１）が外部に貫通して軸桿（１２）を挿通させる。また、それぞれの半球体（１０）の嵌着部（１１）は、軸桿（１２）側の端縁部の該位置決めピン（１２０）に対応する位置に、位置決めピン（１２０）に嵌合する切欠き状の位置決め溝（１１０）を形成する。
【００１７】
該ハウジング（１４）は、中央の位置に該半球体（１０）の形状に沿った曲面を有し、該半球体を収納する収納部（１５）が形成されるとともに、支持フレーム（２０）側に位置するハウジング（１４）には、半球体（１０）の嵌着部（１１）に対床する位置に貫通孔（１５１）を穿設して軸桿（１２）を挿通させる。さらに、該収納部（１５）の内壁には、複数のリブ（１５０）を一体に形成する。該リブ（１５０）は半球体（１０）の外面に摺動自在に接する。よって、一対のハウジング（１４）によってなる回動カバー（１３）は、内部に半球体（１０）を収納し、かつ半球体（１０）の外面に対して摺動自在に設けられる。さらに、ハウジング（１４）は外周に沿って鍔部（１６）が一体に形成され、該鍔部（１６）には球体支持孔（１６０）を少なくとも１以上穿設し、重心ボール（１７）を嵌着して支持する。
【００１８】
支持フレーム（２０）は、図１に開示するように、十字状の管体の本体（１）側に延伸する一端を挿入部（２１）とし、該挿入部（２１）を半球体（１０）とハウジング（１４）を挿通する軸桿（１２）の一端に嵌着する。また、該十字状の管体の該挿入部（２１）に相対する他端には、使用者の腹部に当接する当接板（２２）を設ける。また、挿入部（２１）から当接板（２２）を設ける一端に至る軸線に直交する管体の両端縁部には、外周面に等間隔で複数の位置決め孔（２３０）を穿設してハンドル挿入部（２３）とする。該ハンドル挿入部（２３）には、該位置決め孔（２３０）に対応する位置決め突起（２４０）が一端の外周面に形成されたハンドル桿（２４）を着脱自在に嵌着する。さらに、該十宇状の管体は、管体の形状に沿って形成されるカバー（２５）を上下から設ける。
【００１９】
以上の構造による慣性式回動部を具える健康器は、一対の半球体（１０）を覆う回動カバー（１３）が、半球体（１０）に対して摺動自在に設けられるとともに、鍔部（１６）に重心ボール（１７）が嵌着されているため、図３に開示するように使用者がハンドル桿（２４）を両手で持ち、当接板（２２）を腹部に当接させて、健康器全体を支持し、さらに腰をひねり、かつ両手の力で健康器を左右の方向に揺すると、該重心ボール（１７）が慣性で回動カバー（１３）を回転させる。かかる慣性を利用した重心ボール（１７）と回動カバー（１３）の運動は、図５に開示するように、健康器を異なる角度に揺することによって、異なる角度に対する回転運動が発生し、さらに他方向に対する回転運動によって遠心力が発生する。即ち、使用者は腕と腹部で健康器を支持しなければならず、かつ継続して健康器を揺することによって遠心力が発生し、腕、腹部、腰を中心とした筋肉のトレーニングの目的が達成される。
【００２０】
また、この考案による健康器を収納する場合は、本体（１）から支持フレーム（２０）を抜いて、さらに両ハンドル桿（２４）を抜くことによって容易に分解することができる。よって、組立て、分解を簡易な操作で行うことができ、使用、収納のいずれにも便利である。
【００１８】
支持フレーム（２０）は、図１に開示するように、十字状の管体の本体（１）側に延伸する一端を挿入部（２１）とし、該挿入部（２１）を半球体（１０）とハウジング（１４）を挿通する軸桿（１２）の一端に嵌着する。また、該十字状の管体の該挿入部（２１）に相対する他端には、使用者の腹部に当接する当接板（２２）を設ける。また、挿入部（２１）から当接板（２２）を設ける一端に至る軸線に直交する管体の両端縁部には、外周面に等間隔で複数の位置決め孔（２３０）を穿設してハンドル挿入部（２３）とする。該ハンドル挿入部（２３）には、該位置決め孔（２３０）に対応する位置決め突起（２４０）が一端の外周面に形成されたハンドル桿（２４）を着脱自在に嵌着する。さらに、該十宇状の管体は、管体の形状に沿って形成されるカバー（２５）を上下から設ける。
【００１９】
以上の構造による慣性式回動部を具える健康器は、一対の半球体（１０）を覆う回動カバー（１３）が、半球体（１０）に対して摺動自在に設けられるとともに、鍔部（１６）に重心ボール（１７）が嵌着されているため、図３に開示するように使用者がハンドル桿（２４）を両手で持ち、当接板（２２）を腹部に当接させて、健康器全体を支持し、さらに腰をひねり、かつ両手の力で健康器を左右の方向に揺すると、該重心ボール（１７）が慣性で回動カバー（１３）を回転させる。かかる慣性を利用した重心ボール（１７）と回動カバー（１３）の運動は、図５に開示するように、健康器を異なる角度に揺することによって、異なる角度に対する回転運動が発生し、さらに他方向に対する回転運動によって遠心力が発生する。即ち、使用者は腕と腹部で健康器を支持しなければならず、かつ継続して健康器を揺することによって遠心力が発生し、腕、腹部、腰を中心とした筋肉のトレーニングの目的が達成される。
【００２０】
また、この考案による健康器を収納する場合は、本体（１）から支持フレーム（２０）を抜いて、さらに両ハンドル桿（２４）を抜くことによって容易に分解することができる。よって、組立て、分解を簡易な操作で行うことができ、使用、収納のいずれにも便利である。
【００２１】
また、図４に開示するように、ハンドル桿（２４）は位置決め突起（２４０）を任意の位置決め孔（２３０）に嵌合させることによってハンドル桿（２４）を異なる角度に調整することができる。ハンドル桿（２４）の角度が異なると、腕の異なる部位が圧力を受ける。このため、ハンドル桿（２４）の角度を調整することによって、使用者は異なる部位の筋肉をトレーニングすることができる。
【００２２】
さらに、本体（１）は外観が土星に類似している。即ち本体（１）が土星であって、鍔部（１６）が土星の輸であり、重心ボール（１７）が土星の周りを公転する衛星と見ることができ、かつ健康器を使用する場合に身体の動作に伴って回動カバー（１３）と、重心ボール（１７）が回転する。このため、この考案による健康器は、単純な反復運動にならず、視覚的に面白みを感じさせる本体の動きを見ながら運動することができ、従来の健康器のように容易に飽きることがない。
【００２３】
以上は、この考案の好ましい実施例であって、この考案の実施の範囲を限定するものではない。よって、当業者のなしえる修正、もしくは変更であって、この考案の精神の下においてなされ、かつこの考案に対して均等の効果を有するものは、いずれもこの考案の実用新案登録請求の範囲に属するものとする。
【００２４】
【考案の効果】
この考案による慣性式回動部を具える健康器は、体積が縮小されているとともに、簡易な操作で組立て、分解でき、随時使用することできるとともに収納に便利である。
【００２５】
また、この考案による慣性式回動部を具える健康器は、使用者に面白みを感じさせて、容易に飽きがこない。よって、運動しようとする意識を持続させる効果を具える。
【００２６】
また、この考案による慣性式回動部を具える健康器は、ハンドルが異なる角度に調整できるため、腕の異なる部位をトレーニングすることができ、かつ腕、腹部、腰を中心として好ましい運動効果を得ることができる。
【００２７】
さらに、この考案による慣性式回動部を具える健康器は、簡易な構造であるため、生産性を高め、製造コストを低減させる効果を有する。
【図面の簡単な説明】
【図１】この考案による慣性式回動部を具える健康器の分解斜視図である。
【図２】図１に開示する健康器の本体の断面図である。
【図３】図１に開示する健康器の使用態様を表わす説明図である。
【図４】図１に開示する健康器のハンドルの角度調整に係る説明図である。
【図５】図１に開示する健康の回動ハウジングと重心ボールの運動の関係を表わす説明図である。
【符号の説明】
１　本体
１０　半球体
１１　嵌着部
１１０　位置決め溝
１２　軸桿
１２０　位置決めピン
１３　回動カバー
１４　ハウジング
１５　収納部
１５０　リブ
１５１　貫通孔
１６　鍔部
１６０　球体支持孔
１７　重心ボール
２０　支持フレーム
２１　挿入部
２２　当接板
２３　ハンドル挿入部
２３０　位置決め孔
２４　ハンドル桿
２４０　位置決め突起
２５　カバー
【図１】
0003097197.tif 000003
【図２】
0003097197.tif 000004
【図３】
0003097197.tif 000005
【図４】
0003097197.tif 000006
【図５】
0003097197.tif 000007